(57)【要約】      （修正有）【課題】病院、老人ホーム又はホテル等、不特定多数の人が利用する場所でも、貴重品を容易に収納でき、かつ盗難の心配もない収納庫を提供する。【解決手段】開閉可能な収容室を備えた収納庫において、収容室前面部の上方部に見舞い袋あるいは財布等の貴重品を収容室内部に投入できる人の指又は手先を差し入れできない開口高さで凹設又は穿設してなる投入口と、鍵による施錠・開錠、ならびに収容室内部の重量検知器が重量を検知して自動的に施錠する施錠機構とを備えている。【選択図】図１
0003165040.tif 000002
【実用新案登録請求の範囲】
【請求項１】
開閉可能な収容室を備えた収納庫において、前記収容室前面部の上方部に見舞い袋あるいは財布等の貴重品を収容室内部に投入できる投入口を開設し、また前記収容室を施錠する施錠機構とを備えてなることを特徴とする貴重品投入口付き収納庫。
【請求項２】
前記収容室が、引出しを備えたものであることを特徴とする請求項１に記載の貴重品投入口付き収納庫。
【請求項３】
前記収容室が、前後又は上下に開閉できる開閉扉を備えたものであることを特徴とする請求項１に記載の貴重品投入口付き収納庫。
【請求項４】
前記投入口が、人の指又は手先を差し入れできない開口高さで凹設又は穿設してなるものであることを特徴とする請求項１〜３のいずれか１項に記載の貴重品投入口付き収納庫。
【請求項５】
前記施錠機構が、鍵による施錠・開錠、ならびに収容室内部の重量検知器が重量を検知して自動的に施錠するものであることを特徴とする請求項１〜４のいずれか１項に記載の貴重品投入口付き収納庫。
【請求項６】
前記施錠機構が、収容室前面部又は収納庫のいずれかに施錠されたことを示す表示手段を備えてなることを特徴とする請求項１〜５のいずれか１項に記載の貴重品投入口付き収納庫。
【請求項７】
前記貴重品投入口付き収納庫が、更に小型金庫を併設してなることを特徴とする請求項１〜６のいずれか１項に記載の貴重品投入口付き収納庫。
【考案の詳細な説明】
【技術分野】
【０００１】
本願考案は、病院又はホテル等に配置する収納庫に関する。
【背景技術】
【０００２】
従来、病院、老人ホーム又はホテル等では、居室の適当な位置に収納庫を配置していて、該収納庫には書類や食膳等を載置するための芯出しテーブルや、身の回りの品を収容する引出し及び衣類や洗面道具等を収納する開閉扉を取り付けて、利用者が日常生活するための必需品を収納できるよう便宜を図っている。
【先行技術文献】
【特許文献】
【０００３】
【特許文献１】特許公開平８−９３２９１号
【特許文献２】登録実用新案第３０１０１２３号
【考案の開示】
【考案が解決しようとする課題】
【０００４】
通常の収納庫は、不特定多数の人が利用する場合が多いため、引出し等に施錠機構を取り付けていないものが多いので不用心であった。
【０００５】
このため、貴重品や財布などはコイン式電子ロック等施錠機構が装着してある貴重品保管庫あるいは引出し又は金庫に収納する必要があり、その都度、前記貴重品保管庫あるいは引出しのコイン式電子ロック施錠機構に暗証番号を入力して開錠したり、金庫を専用の鍵によって開錠する必要があり、また、収納後再び施錠する手間暇がかかるため、例えば、金子の入ったお見舞いを頂いた場合でも、施錠せずにそのまま引出しに入れたり、芯出しテーブルに放置したまま、退室する場合もあり非常に不用心であった。
【課題を解決するための手段】
【０００６】
本願考案者は、上記に鑑み鋭意研究の結果、次の手段によりこの課題を解決した。
（１）開閉可能な収容室を備えた収納庫において、前記収容室前面部の上方部に見舞い袋あるいは財布等の貴重品を収容室内部に投入できる投入口を開設し、また前記収容室を施錠する施錠機構とを備えてなることを特徴とする貴重品投入口付き収納庫。
【０００７】
（２）前記収容室が、引出しを備えたものであることを特徴とする前項（１）に記載の貴重品投入口付き収納庫。
（３） 前記収容室が、前後又は上下に開閉できる開閉扉を備えたものであることを特徴とする前項（１）に記載の貴重品投入口付き収納庫。
【０００８】
（４）前記投入口が、人の指又は手先を差し入れできない開口高さで凹設又は穿設してなるものであることを特徴とする前項（１）〜（３）のいずれか１項に記載の貴重品投入口付き収納庫。
【０００９】
（５）前記施錠機構が、鍵による施錠・開錠、ならびに収容室内部の重量検知器が重量を検知して自動的に施錠するものであることを特徴とする前項（１）〜（４）のいずれか１項に記載の貴重品投入口付き収納庫。
【００１０】
（６）前記施錠機構が、収容室前面部又は収納庫のいずれかに施錠されたことを示す表示手段を備えてなることを特徴とする前項（１）〜（５）のいずれか１項に記載の貴重品投入口付き収納庫。
【００１１】
（７）前記貴重品投入口付き収納庫が、更に小型金庫を併設してなることを特徴とする前項（１）〜（６）のいずれか１項に記載の貴重品投入口付き収納庫。
【考案の効果】
【００１２】
本願考案によれば、次のような効果が発揮される。
１．本願考案の請求項１〜３の考案によれば、
前記収容室前面部の上方部に見舞い袋あるいは財布等の貴重品を収容室内部に投入できる投入口を開設し、また前記収容室を施錠する施錠機構を備えているので、いつでもあるいは監視人が不在時でも、見舞い袋あるいは財布等の貴重品を投入口から容易に収容室へ収納でき、かつ安全であるので、盗難の心配もなくすることができる。
【００１３】
また、投入口が、前記収容室前面部の上方部に備えられているため、見舞い袋あるいは財布等の貴重品が投入されると収容室内部の一番下部に収納されるため、施錠してあれば投入口から収納品を引き上げて盗み出すことは簡単にはできない。
【００１４】
２．本願考案の請求項４の考案によれば、
請求項１〜３の効果に加えて、前記投入口が、人の指又は手先を差し入れできない開口高さで凹設又は穿設してあるため、見舞い袋あるいは財布等は容易に投入できるが、施錠してあれば、指を挿入するなどして収容室内部のものを取り出すことはできない。
【００１５】
３．本願考案の請求項５の考案によれば、
請求項１〜４の効果に加えて、前記施錠機構が、鍵による施錠・開錠、ならびに収容室内部の重量検知器が重量を検知して自動的に施錠するので、鍵が手元に無くても軽量の見舞い袋を投入するのみで自動的に施錠され、施錠する手間暇が不要となり、利用価値が高まると同時に、盗難防止ができる。
【００１６】
４．本願考案の請求項６の考案によれば、
請求項１〜５の効果に加えて、前記施錠機構が、収容室前面部又は収納庫のいずれかに施錠されたことを示す表示手段を備えているので、施錠の要否が判断し易く、また、施錠忘れを防止することができる。
【００１７】
５．本願考案の請求項７の考案によれば、
請求項１〜６の効果に加えて、前記貴重品投入口付き収納庫が、更に小型金庫を併設しているので、別途設置された貴重品収納ロッカー又は金庫等まで足を運ぶことなく、手元で簡単に貴重品等を小型金庫に収納することができ、耐火性小型金庫であれば火災時にも貴重品が保護される。
【図面の簡単な説明】
【００１８】
【図１】本願考案実施例の貴重品投入口付き収納庫の斜視図
【図２】図１のＡ−Ａ’断面図であり、貴重品投入口付き引出し内部の重量検知器と施錠機構の設置例を示す図
【考案を実施するための最良の形態】
【００１９】
本願考案を実施するための最良の形態を実施例図に基づいて説明する。
図１は本願考案実施例の貴重品投入口付き収納庫の斜視図であり、図２は図１のＡ−Ａ’断面図であり、貴重品投入口付き引出し内部の重量検知器と施錠機構の設置例を示す図である。
【００２０】
図１及び図２において、貴重品投入口付き収納庫１は、天板２及び側板３と、書類や食膳等を載置するためのテーブルを手前に引き出しできる芯だしテーブル４と、貴重品投入口５付き引出し６と、引出し７（又は引出し式小型金庫７’）と、前記芯だしテーブル４と２つの引出し６、７間の仕切板８と、引出し６、７の上部及び下部に身の回り品や洗面道具等を収納する蝶番１６で蝶着された収納庫扉９’付き収納庫９で構成されている。
【００２１】
取っ手６’と前記貴重品投入口５付き引出し６は、その引出し６前面部の上方部に見舞い袋１０あるいは財布等を引出し内部に投入できる投入口５と、施錠機構１１の錠前１２が装着されている。
【００２２】
前記引出し６前面部の上方部に設けられた投入口５は、人の指又は手先を差し入れできない開口高さで凹設（又は穿設）されている。また、前記芯だしテーブル４を引き出したときでも引出し６内部は見えないように、また芯だしテーブルを取り外したときも引出し内部に手を差し込めないように仕切板８を配設してある。
【００２３】
図２において、前記引出し６は、引出し６内部の重量検知器１３と、同重量検知器１３に制御されて自動的に施錠し、かつ鍵によって施錠・開錠もできる施錠機構１１と、引出し６前面部の上方部に設けられた前記施錠機構１１用錠前１２とで構成されている。
【００２４】
前記重量検知器１３は、マイクロスイッチ１４にアクチュエータ１５を取り付けて重量検知器１３とし、見舞い袋１０等が引出し６上部から投入され前記アクチュエータ１５先端上に落下するとマイクロスイッチ１４が作動し、電気的に前記施錠機構１１を施錠する。
【００２５】
前記引出し６前面部又は収納庫１のいずれかの箇所に施錠されたことを示す図示しないＬＥＤ等による表示手段を備えることが好ましい。
【００２６】
上記のように施錠状態であっても、錠前１２に鍵を挿入して前記施錠機構１１を手動で開錠すれば引出し６を引き出すことができる。
【００２７】
前記重量検知器１３は、上記マイクロスイッチ１４による電気的な制御に限定されることなく、例えば、見舞い袋１０等が引出し６上部から投入され、重量検知器１３上に落下すると、極軽量の見舞い袋１０であっても梃子の原理を応用して前記施錠機構１１を制御して施錠する機械的な施錠・開錠手段としてもよい。この場合は、前記施錠・開錠手段に機械的に連動して、引出し６前面部に施錠されたことを示す、例えば、赤色・白色マーク等を付した樹脂板を回転させて、施錠・開錠の表示を行うようにしてもよい。
【００２８】
前記貴重品投入口付き収納庫１が、更に引出し７の代わりに、はめ込み式金属製小型金庫７’を併設してもよい。このように小型金庫７’が併設されていれば、別途設置された貴重品収納ロッカー又は金庫等まで足を運ぶことなく、手元で簡単に貴重品等を小型金庫７’に収納することができ、耐火性小型金庫であれば火災時にも貴重品の類焼を防ぐことができる。
【００２９】
上記実施例において、収容室は引出し６として記述したが、これに限定されることなく、前後又は上下に開閉できる開閉扉であってもよい。
【産業上の利用可能性】
【００３０】
開閉可能な収容室を備えた収納庫において、前記収容室前面部の上方部に見舞い袋あるいは財布等の貴重品を収容室内部に投入できる人の指又は手先を差し入れできない開口高さで凹設又は穿設してなる投入口５と、鍵による施錠・開錠、ならびに収容室内部の重量検知器が重量を検知して自動的に施錠する施錠機構とを備えているので、病院、老人ホーム又はホテル等で利用できる。
【符号の説明】
【００３１】
１：貴重品投入口付き収納庫
２：天板
３：側板
４：芯だしテーブル
５：投入口
６：引出し
６’：取っ手
７：引出し
７’：小型金庫
８：仕切板
９：収納庫
９’：収納庫扉
１０：見舞い袋
１１：施錠機構
１２：錠前
１３：重量検知器
１４：マイクロスイッチ
１５：アクチュエータ
１６：蝶番
【図１】
0003165040.tif 000003
【図２】
0003165040.tif 000004